(57)【要約】  カルボン酸類を気相中で水素化してアルデヒド類を製造する際のアルデヒド類への選択率が高い固体触媒及びその固体触媒を用いたアルデヒド類の製造方法を提供する。  本発明の固体触媒は、カルボン酸類から気相中で水素化することによりアルデヒド類を製造するための固体触媒であって、担体の外表面に触媒粉を付着させることにより層状に被覆させた構造を有することを特徴とする。また、本発明のアルデヒド類の製造方法は、上記固体触媒を用いることを特徴とする。【特許請求の範囲】
【請求項１】
カルボン酸類から気相中で水素化することによりアルデヒド類を製造するための固体触媒であって、担体の外表面に触媒粉を付着させることにより層状に被覆させた構造を有することを特徴とする固体触媒。
【請求項２】
前記触媒粉が、白金族金属及び鉄を含む請求項１に記載の固体触媒。
【請求項３】
前記白金族金属が、パラジウムである請求項２に記載の固体触媒。
【請求項４】
前記担体が、セラミックを含む請求項１〜３のいずれか１項に記載の固体触媒。
【請求項５】
カルボン酸類から気相中で固体触媒を用いて水素化することによりアルデヒド類を製造する方法であって、前記固体触媒が、請求項１〜４のいずれか１項に記載の固体触媒であるアルデヒド類の製造方法。
【請求項６】
前記カルボン酸類が酢酸であり、前記アルデヒド類がアセトアルデヒドである請求項５に記載のアルデヒド類の製造方法。
【発明の詳細な説明】
【技術分野】
【０００１】
本発明は、カルボン酸類を原料として、水素化反応によりアルデヒド類を製造する固体触媒、及びその固体触媒を用いたアルデヒド類の製造方法に関する。本願は、２０１４年４月２２日に日本に出願した、特願２０１４−０８７８１１号の優先権を主張し、その内容をここに援用する。
【背景技術】
【０００２】
アルデヒド類は、各種有機化学合成用の中間体等として、工業的に極めて重要な化合物であり、酢酸エチル、過酢酸、ピリジン誘導体、ペンタエリスリトール、クロトンアルデヒド、パラアルデヒドなどの原料として大量に使用されている。【０００３】
現在、アルデヒド類は、工業的には主にエチレンや末端オレフィンの酸化又はヒドロホルミル化により製造されている。しかし、これらの原料は、いずれも石油由来の化合物であり、近年の石油類の高騰や資源枯渇問題から、より安定的かつ安価に入手可能な化合物を原料とする製造方法が望まれている。ここで、アルデヒド類の中でも特に工業的に大量に製造されているアセトアルデヒドに着目すると、過去にはアセトアルデヒドは、その酸化により酢酸を製造するための原料として利用されており、必然的に酢酸は、アセトアルデヒドより高価な化合物であった。しかしながら、１９７０年代に酢酸の製造方法が、メタノールのカルボニル化法（所謂モンサント法）に転換すると、酢酸とアセトアルデヒドの価格順位は逆転し、酢酸の水素還元によるアセトアルデヒドの製造が経済的に十分成立する状況となった。さらに、現在アセトアルデヒドは、上述のようにエチレンを原料として製造されているのに対し、酢酸は、メタノールと一酸化炭素といういずれも非石油原料から合成可能な原料から製造されているため、原料の安定確保、資源保護、地球環境保護の面からも酢酸を原料とするアセトアルデヒドの製造は好ましいと言える。【０００４】
上述のような状況から、酢酸の水素還元によるアセトアルデヒドの合成が既にいくつかなされている。以下に列挙すると、Ｖ．Ｐｏｎｅｃらは、酸化鉄微粉末を触媒とした気相水素化反応により酢酸からアルデヒドが選択的に得られることを開示した（非特許文献１）。さらに、Ｖ．Ｐｏｎｅｃらは、酸化鉄に白金を添加することで触媒活性及びアセトアルデヒド選択率が向上することを開示した（非特許文献２）。また、ジェラルド・シー・タスティンらは、酸化鉄に２．５〜９０重量％のパラジウムを添加した触媒を開示した（特許文献１）。ヴィクター・ジェイ・ジョンストンらは、シリカ及び炭素からなる担体上にパラジウムと第２成分として、鉄、銅、金、及びカリウムからなる金属群を担持した触媒を開示した（特許文献２）。
【先行技術文献】
【特許文献】
【０００５】
【特許文献１】特許第４０９４７３７号公報
【特許文献２】特許第５０５３４５８号公報
【非特許文献】
【０００６】
【非特許文献１】Journal of Catalysis vol.148, pp.261-269(1994)
【非特許文献２】Journal of Catalysis vol.168, pp.255-264(1997)
【発明の概要】
【発明が解決しようとする課題】
【０００７】
そこで、本発明者らは、上述の先行技術文献に基づき、カルボン酸類を気相中で水素化し、アルデヒド類を工業的に製造するための検証を行った。まず、パラジウムを添加した酸化鉄微粉末触媒を用い、工業的な気相反応の最も一般的な実施形態である固定床反応器を用いた連続流通反応において、検証を行った（本願比較例１）。その結果、特許文献１記載の通り、良好な触媒活性・選択性が得られることを確認したが、微粉末状触媒は工業的には使用不可能であることから、上記微粉末触媒を打錠成型し、粒径が数ｍｍ程度のペレットの形状にし、検証を行った（本願比較例２）。また、本発明者らは、シリカ担体上に上記酸化鉄微粉末を含浸させ成型した触媒を用いて、検証を行った（本願比較例３）。【０００８】
しかし、本願比較例２及び比較例３に示すように、打錠ないしは、担体へ含浸により成型した触媒では、アセトアルデヒドへの選択率は、本願比較例１の酸化鉄微粉末触媒と比較して、極めて不満足なレベルまで低下することが分かった。【０００９】
したがって、本発明の目的は、カルボン酸類を気相中で水素化してアルデヒド類を製造する際のアルデヒド類への選択率が高い工業的に利用可能な固体触媒を提供することにある。また、カルボン酸類を気相中で水素化してアルデヒド類を製造する際のアルデヒド類への選択率が高い、工業的に利用可能なアルデヒド類の製造方法を提供することにある。
【課題を解決するための手段】
【００１０】
本発明者らは、上記の状況に鑑み、成型触媒とした状態でも高いアルデヒド類への選択率を実現可能な触媒の探索を鋭意検討した結果、意外にも触媒の組成を変更せずとも、セラミック等の化学的に不活性な担体の外表面に触媒粉を層状に付着させる、所謂コーティング法で成型した触媒を使用することで高いアルデヒド類への選択率が得られることを見出し、本発明を完成した。【００１１】
すなわち、本発明は、カルボン酸類から気相中で水素化することによりアルデヒド類を製造するための固体触媒であって、担体の外表面に触媒粉を付着させることにより層状に被覆させた構造を有することを特徴とする固体触媒を提供する。【００１２】
本発明においては、前記触媒粉が、白金族金属及び鉄を含むことが好ましい。【００１３】
本発明においては、前記白金族金属が、パラジウムであることが好ましい。【００１４】
本発明においては、前記担体が、セラミックを含むことが好ましい。【００１５】
また、本発明は、カルボン酸類から気相中で固体触媒を用いて水素化することによりアルデヒド類を製造する方法であって、固体触媒が、前記の固体触媒であるアルデヒド類の製造方法を提供する。【００１６】
本発明においては、前記カルボン酸類が酢酸であり、前記アルデヒド類がアセトアルデヒドであることが好ましい。【００１７】
すなわち、本発明は、以下に関する。
［１］カルボン酸類から気相中で水素化することによりアルデヒド類を製造するための固体触媒であって、担体の外表面に触媒粉を付着させることにより層状に被覆させた構造を有することを特徴とする固体触媒。
［２］前記触媒粉が、白金族金属及び鉄を含む［１］に記載の固体触媒。
［３］前記白金族金属が、パラジウムである［２］に記載の固体触媒。
［４］前記担体が、セラミックを含む［１］〜［３］の何れか１項に記載の固体触媒。
［５］前記触媒粉の平均粒径（大きさ）が、１〜５００μｍである［１］〜［４］の何れか１項に記載の固体触媒。
［６］前記白金族金属の組成比が、前記鉄の重量比（１００重量部）に対して、０．５〜８０重量部である［２］〜［５］の何れか１項に記載の固体触媒。
［７］前記白金族金属及び前記鉄の合計重量が、前記触媒粉全体（１００重量％）に対して、４０重量％以上である［２］〜［６］の何れか１項に記載の固体触媒。
［８］前記担体に対する前記触媒粉の比率（コーティング率）が、前記担体（１００重量部）に対して、３〜１０重量部である［１］〜［７］の何れか１項に記載の固体触媒。
［９］平均粒径（大きさ）が１〜１０ｍｍである［１］〜［８］の何れか１項に記載の固体触媒。
［１０］カルボン酸類から気相中で固体触媒を用いて水素化することによりアルデヒド類を製造する方法であって、前記固体触媒が、［１］〜［９］の何れか１項に記載の固体触媒であるアルデヒド類の製造方法。
［１１］前記カルボン酸類が酢酸であり、前記アルデヒド類がアセトアルデヒドである［１０］に記載のアルデヒド類の製造方法。
［１２］前記カルボン酸の転化率が、５０％以下である［１０］又は［１１］に記載のアルデヒド類の製造方法。
［１３］前記アルデヒド類の選択率が、７０％以上である［１０］〜［１２］の何れか１項に記載のアルデヒド類の製造方法。
【発明の効果】
【００１８】
本発明の固体触媒は、工業的に利用可能であり、カルボン酸類を気相中で水素化してアルデヒド類を製造する際のアルデヒド類への選択率が高い。また、本発明の製造方法は、工業的に利用可能であり、カルボン酸類を気相中で水素化してアルデヒド類を製造する際のアルデヒド類への選択率が高い。
【発明を実施するための形態】
【００１９】
［固体触媒］
本発明の固体触媒は、カルボン酸類から気相中で水素化することによりアルデヒド類を製造するための固体触媒であって、担体の外表面を予め粉体状とした触媒粉を付着させることにより層状に被覆させた構造を有することを特徴とする。このような固体触媒は、コーティング型触媒とも言える。
【００２０】
上記カルボン酸類とは、分子内に少なくとも１つのカルボキシル基を有する有機酸である。カルボン酸類としては、例えば、ギ酸、酢酸、プロピオン酸、酪酸、吉草酸、アクリル酸、安息香酸などが挙げられる。
【００２１】
上記アルデヒド類とは、分子内に少なくとも１つのホルミル基を有する化合物であり、カルボニル炭素に水素原子が１つ置換した構造を有する化合物である。アルデヒド類としては、例えば、ホルムアルデヒド、アセトアルデヒド、プロピオンアルデヒド、ブタナール、ペンタナール、アクロレイン、ベンズアルデヒドなどが挙げられる。
【００２２】
特に、本発明では、工業的な利用価値の面から、上記カルボン酸類が酢酸であり、上記アルデヒド類がアセトアルデヒドであることが好ましい。
【００２３】
（触媒粉）
本発明の固体触媒は、カルボン酸類を水素化してアルデヒド類を製造する際に、水素化の化学反応の速度を速める働きをする物質である。触媒粉は、上記固体触媒において、このような働きをする物質を粉体状にしたものである。上記固体触媒は、特に制限されないが、触媒活性が高くアルデヒド類への選択率が高い点から、触媒粉として白金族金属及び鉄を含むことが好ましい。
【００２４】
上記白金族金属は、周期律表の第８族の第５周期及び第６周期の元素を示す。白金族金属としては、具体的には、ルテニウム、ロジウム、パラジウム、オスミウム、イリジウム、白金からなる元素群などが挙げられる。なかでも、触媒活性の点から、パラジウム及び白金が好ましいが、一般的にパラジウムの方が白金に比べ安価であるため、工業的には、特にパラジウムが好ましい。これらの白金族金属は、１種を単独で、２種以上を組合せて使用することができる。
【００２５】
上記白金族金属としては、パラジウム触媒や白金触媒などの各種市販の触媒を用いることもできる。パラジウム触媒の調製原料としては、Ｐｄ（ＮＯ3）2・ｘＨ2Ｏ（Ａｌｆａ  Ａｅｓａｒ製、Ｐｄ４０％）、酢酸パラジウムなどが使用できる。また、白金触媒の調製原料としては、Ｈ2Ｐt（ＯＨ）6などが使用できる。
【００２６】
上記鉄としては、特に制限されないが、鉄（Ｆｅ）元素を含む酸化物、窒素化物、その他鉄化合物などが挙げられる。鉄の原料としては、例えばＦｅ（ＮＯ3）3・９Ｈ2Ｏ、ＦｅＳＯ4・７Ｈ2Ｏなどを用いることができる。鉄は、市販の酸化鉄を用いることもでき、１種を単独で、２種以上を組合せて使用することができる。なお、鉄の原料として硫酸鉄等の非熱分解性の対イオンを有する化合物を使用する場合は、鉄塩溶液の蒸発乾固法は使えず、例えば、硫酸鉄を使用する場合、アンモニア等のアルカリ沈殿剤を添加して不溶性の鉄化合物として沈殿させた後、沈殿を十分水洗して硫酸イオンを除去する必要がある。
【００２７】
上記白金族金属と上記鉄の組成比は、特に制限されないが、鉄の形態をＦｅ2Ｏ3と仮定すると、鉄の重量比（１００重量部）に対して、白金族元素の金属単体の重量比で、０．５〜８０重量部が好ましく、２〜６０重量部がより好ましい。一般的に白金族元素の重量比が高いほど触媒活性（原料転化率）は向上する傾向を示すが、触媒の価格が上昇するため、組成比は経済的合理性に基づき決定される。
【００２８】
また、白金族元素及び鉄以外の他の成分を共存させることもでき、例えば、上述の特許文献２におけるように、シリカ及び炭素からなる担体を共存させたり、銅、金、カリウムなどの第３金属成分を共存させることもできる。上記の白金族元素及び鉄以外の他の成分の合計重量は、特に制限されないが、触媒粉全体（１００重量％）に対して、７０％以下が好ましく、６０％以下がより好ましい。
【００２９】
上記の白金族金属及び鉄の合計重量は、特に制限されないが、上記触媒粉全体（１００重量％）に対して、４０％以上が好ましく、６０％以上がより好ましい。白金族金属及び鉄の割合が一定以上であると、良好な触媒活性とアルデヒド類への選択率が得られる。
【００３０】
（触媒粉の製造方法）
触媒粉の製造方法としては、上述の触媒成分を含む触媒粉体が得られれば、特に限定されず、一般的に公知の調製法を適宜適用可能である。具体的には、各金属成分の塩を水等の溶媒に溶解させた混合溶液をそのまま蒸発乾固後焼成する方法、同様な混合溶液に沈殿剤を添加して不活性の塩を沈殿させ濾過・乾燥・焼成する方法、１成分のみを酸化物等の粉体とし、他の成分を溶液として含浸担持後、乾燥・焼成する方法等がある。
【００３１】
上記の水等の溶媒の使用量は、特に制限されないが、各金属成分の塩（１００重量部）に対して、１００〜５０００重量部が好ましい。また、白金族の塩は、鉄、その他の卑金属塩に比較し、容易に溶液から析出し易いため、両成分を可能な限り均一に析出させる目的で、上記水等の溶媒からなる混合溶液にクエン酸、ＥＤＴＡ等のキレート剤を共存させることも、触媒活性向上に有効である。上記キレート剤の配合量は、特に制限されないが、水等の溶媒（１００重量部）に対し、１０〜１０００重量部が好ましい。
【００３２】
上記蒸発乾固は、温度が５０〜１５０℃で、３〜４８時間行うことが好ましい。上記乾燥は、温度が５０〜３００℃で、１〜２４時間行うことが好ましい。また、上記焼成は、温度が２００〜６００℃で、１〜２４時間行うことが好ましい。蒸発乾固、乾燥及び焼成は、一般的な電気炉などを用いて空気雰囲気下で行うことができる。上記の方法により、得られた粒状物質を必要に応じて、乳鉢などで粉砕し、混合することにより、触媒粉が得られる。
【００３３】
触媒粉の平均粒径（大きさ）は、特に制限されないが、１〜５００μｍが好ましく、３〜２００μｍがより好ましい。触媒粉の平均粒径（大きさ）が上記範囲であると、担体に層状に付着させることができ、且つ、触媒活性を高く保つことができる。なお、触媒粉の平均粒径（大きさ）は、レーザー回析式流動分布測定装置などを用いて測定することができる。
【００３４】
（担体）
本発明の固体触媒の特徴は、上述の方法で得られた触媒粉を、担体の外表面上に層状に固着させたことである。上記担体は、必要な機械的強度を有し、化学的に不活性で触媒活性を阻害せず、触媒粉を被覆可能な物質である。
【００３５】
上記担体としては、特に制限されず、触媒の担体として一般的に用いられる、アルミナ、シリカ、炭素、金属窒化物などを使用することができる。なかでも担体としては、化学的、機械的、熱的な安定性の点から、セラミックを含むものが好ましく、特に、アルミナやシリカ等を主成分とするセラミックを含むものが好ましく用いられる。セラミック以外の炭素や金属窒化物等も化学的に触媒活性を阻害しない材質であれば、反応条件が許容する限りいずれも使用可能である。
【００３６】
上記担体の形状としては、特に制限されないが、コーティング操作の容易さ、反応器への充填や反応器からの取出しの容易さから、球状のものが好ましく用いられる。また、担体の大きさとしては、特に制限されず、球状のものである場合、通常の固定床用の成型触媒と同様に、直径で１〜１０ｍｍ程度のものが使用可能である。なかでも、担体の大きさは、球状のものである場合、触媒活性などの点から、直径で１〜５ｍｍが好ましく、１〜３ｍｍがより好ましい。
【００３７】
上記担体としては、市販のものを用いることができ、アルミナセラミック球（チップトン社製ＣＣＳ７８−３、岩尾磁器工業製ＡＣ−８０、サンゴバン社製Ｄｅｎｓｔｏｎｅ５７）などが使用できる。
【００３８】
（固体触媒の製造方法）
本発明の固体触媒は、担体の外表面に触媒粉を付着させることにより層状に被覆させた構造を有することを特徴とする。上記担体表面に上記触媒粉を層状に付着させる方法としては、特に限定されず、一般的に用いられる所謂コーティングマシンなどを使用する方法が挙げられる。コーティングマシンなどは、担体を自転させながら円筒状の器壁に沿って公転させる所謂「遊星運動」をさせる機構を有するものであり、担体に上述の運動をさせながら、水等の溶媒を担体に噴霧しつつ所定量の触媒粉を振り掛けることで、所望の量の触媒粉を均一に層状に付着させ、担体に触媒粉をコーティングさせることができる。担体に付着させた触媒層の機械的強度を増すためには、コーティングの際に使用する溶媒にポリビニルアルコール等の有機結着剤やシリカゾル等の無機結着剤を溶解させておくことも有効である。
【００３９】
上記固体触媒は、上述のように担体表面に触媒粉をコーティングさせた後、必要に応じて乾燥して溶媒を除去し、焼成することにより得られる。上記乾燥は、温度が５０〜１５０℃で、１〜２４時間行うことが好ましい。また、上記焼成は、温度が２００〜６００℃で、１〜２４時間行うことが好ましい。乾燥や焼成は、一般的な電気炉などを用いて行うことができる。
【００４０】
上記担体に対する触媒粉の比率（コーティング率）は、担体材質や触媒粉の性質により異なり、一概には言えないが、担体の重量（１００重量部）に対して、触媒粉が３〜１００重量部が好ましく、１０〜５０重量部がより好ましい。特に、直径３ｍｍのアルミナセラミック球を担体とし、２％のＰｄ／Ｆｅ2Ｏ3触媒粉でコーティングした場合は、担体の重量（１００重量部）に対して、触媒粉が１０〜１００重量部が好ましく、１５〜５０重量部がより好ましい。触媒粉の割合が上記範囲であると、十分な原料転化率が得られ、アルデヒド類への選択率も良い。
【００４１】
上記固体触媒の大きさは、使用した担体の大きさに依存し、特に制限されないが、１〜１０ｍｍが好ましく、１〜５ｍｍがより好ましい。固体触媒の大きさが上記範囲であると、触媒活性が良く、アルデヒド類への選択率も良い。
【００４２】
本発明の固体触媒を使用することにより、触媒の組成を変更せずとも、カルボン酸類から気相中で水素化することによりアルデヒド類を製造する際のアルデヒド類への選択率が高くなる。これは、本発明の固体触媒は、担体の外表面に触媒粉を低密度の層状に被覆させた構造を有し、触媒粉を微粉末状で使用する場合と同様に触媒層内のガス拡散移動が良好に行われる為、触媒層内で生成したアルデヒドの気相への移動が容易となり、結果的にアルデヒドの逐次反応による消失が低減されるため、高いアルデヒド選択率が保持されるものと考えられる。
【００４３】
［アルデヒド類の製造方法］
本発明のアルデヒド類の製造方法は、カルボン酸類から気相中で固体触媒を用いて水素化することによりアルデヒド類を製造する方法であって、上記固体触媒が、担体の外表面を予め粉体状とした触媒粉を付着させることにより層状に被覆させた構造を有することを特徴とする。よって、本発明のアルデヒド類の製造方法は、上述の本発明の固体触媒を用いることを特徴とする。
【００４４】
上記カルボン酸類及びアルデヒド類は、上述のものであるが、特に、本発明では、工業的な利用価値の面から、上記カルボン酸類が酢酸であり、上記アルデヒド類がアセトアルデヒドであることが好ましい。
【００４５】
カルボン酸類からの気相中での水素化は、反応形式としては、ガス状に気化させたカルボン酸類と水素との混合ガスを触媒充填層に通過させる形式の所謂固定床気相反応方式などが採用される。
【００４６】
具体的には、カルボン酸類を蒸発器に仕込み、気化したカルボン酸類が水素ガスとともに加熱され、本発明の固体触媒を充填した反応器に供給される方式のものなどが挙げられる。反応器でカルボン酸類は水素化され、主生成物のアルデヒド類のほか、非凝縮性のメタン、エタン、エチレン、二酸化炭素、凝縮性のアセトン、エタノール、酢酸エチル、ジエチルアセタールなどが生成する。
【００４７】
反応器に供給されるカルボン酸類と水素の化学量論的なモル比は、１対１であるが、触媒の還元状態の維持、及び化学平衡、反応速度的な有利さから、特に制限されないが、水素／カルボン酸類のモル比は、２〜１０が好ましく、３〜８がより好ましい。水素／カルボン酸類のモル比が上記範囲であると、水素化の反応速度が低下せず、触媒の還元状態が変化することによるケトン等の副生物の増加を抑えることができ、生成したアルデヒド類の逐次水素化物であるアルコールの副生も抑えることができる。
【００４８】
水素化の反応温度は、特に制限されないが、２００〜３５０℃が好ましく、２６０〜３３０℃がより好ましい。温度が上記範囲であると、反応速度を一定以上に保ちつつ、アルコール、ケトン、炭化水素類などの副生を抑えることができる。
【００４９】
水素化の反応圧は、特に制限されないが、常圧〜５ＭＰａ（ゲージ圧、以下同じ）が好ましく、常圧〜２ＭＰａがより好ましい。反応圧が上記範囲であると、アルデヒドの逐次水素化によるアルコールの副生を抑えることができる。
【００５０】
また、反応器に充填された触媒を反応に使用するに先立ち、水素ガスによる還元処理を行うことが、反応初期から安定な触媒活性を得る上で好ましい。上記還元処理温度は、２００〜４００℃程度が好ましく、時間は１〜１０時間程度が好ましい。また、供給する水素ガスは、触媒成分元素を酸化物から金属に還元するのに必要な化学量論量以上であれば良い。
【００５１】
このような反応でのカルボン酸類の転化率は、特に制限されないが、５０％以下（例えば５〜５０％）が好ましい。カルボン酸類の転化率が５０％を超えると、副生物（エタノール、酢酸エチル等）が生成しやすくなり、アルデヒド類の選択率が低下する。したがって、反応器における滞留時間、水素の空間速度を、上記酢酸の転化率が５０％以下となるように調整することが好ましい。
【００５２】
このような反応でのアルデヒド類の選択率は、特に制限されないが、７０％以上が好ましく、７５％以上がより好ましく、８０％以上がさらに好ましい。アルデヒド類の選択率が一定以上であると、効率良くアルデヒド類が得られ、且つアルデヒド類の精製分離も容易となる為、工業的に有利に利用することができる。
【００５３】
本発明のアルデヒド類の製造方法は、本発明の固体触媒を用いており、カルボン酸類を気相中で水素化してアルデヒド類を製造する際のアルデヒド類への選択率が高く、工業的に利用可能である。
【実施例】
【００５４】
以下に、実施例に基づいて本発明をより具体的に説明するが、本発明はこれらの実施例により限定されるものではない。なお、反応結果として示す酢酸転化率及び各生成物の選択率の定義は、以下の通りである。【００５５】
酢酸転化率（％）＝１００×（反応器への仕込み酢酸［ｍｏｌ］−反応器から排出された酢酸［ｍｏｌ］）／（反応器への仕込み酢酸［ｍｏｌ］）
Ｃ基準選択率（％）＝１００×（反応器から排出された該成分の１分子あたりのＣ換算［ｍｏｌ］）／｛２×（反応器への仕込み酢酸［ｍｏｌ］−反応器から排出された酢酸［ｍｏｌ］）｝【００５６】
［製造例Ａ］
（２％Ｐｄ／Ｆｅ2Ｏ3触媒粉の製造）
Ｆｅ（ＮＯ3）3・９Ｈ2Ｏ（関東化学社製、製品Ｎｏ．１６０２６−００）２５．５ｇを純水２５ｍｌに溶解させた。そこに、Ｐｄ（ＮＯ3）2・ｘＨ2Ｏ（Ａｌｆａ  Ａｅｓａｒ社製、Ｐｄ４０％）０．２５ｇ、及び無水クエン酸（和光純薬社製、商品コード０３０−０５５２５）１０．９ｇを純水１５ｍｌに溶解した溶液を加え、均一な混合溶液とした。上記混合溶液を磁性皿に移し、電気炉中、空気雰囲気下、７０℃で２４時間静置し、フレーク状になるまで蒸発乾固した。さらに１１０℃で５時間、２００℃で５時間乾燥させた後、４００℃で５時間焼成した。そして、得られた顆粒物質を乳鉢で粉砕・混合し、目開き０．１４９ｍｍの篩を通して整粒し、２％Ｐｄ／Ｆｅ2Ｏ3触媒粉（平均粒径１００μｍ）を得た。【００５７】
［実施例１］
（コーティング型触媒）
コーティング機（自製、口径２０ｃｍのステンレス製ロートに対し下向きに伏せた口径８ｃｍのポリプロピレン製ロートをモーターで回転させることで、担体球に遊星運動をさせる）を使用して、外径３ｍｍのアルミナセラミック球（チップトン社製、ＣＣＳ７８−３）の外表面に上記製造例Ａで得られた触媒粉（アルミナセラミック球１００重量部に対して、３重量部）を、シリカゾル（日産化学工業社製、スノーテックＮ）をバインダーとして噴霧しながら、層状にコーティングした。コーティングした触媒粒を電気炉中、空気雰囲気下、１１０℃で５時間、２００℃で５時間乾燥させた後、４００℃で５時間焼成し、コーティング型触媒（コーティング率３％）を得た。【００５８】
［実施例２］
使用した触媒粉の量を、アルミナセラミック球１００重量部に対して、３４重量部としたこと以外は、実施例１と同様にして、コーティング型触媒（コーティング率３４％）を得た。【００５９】
［実施例３］
使用した触媒粉の量を、アルミナセラミック球１００重量部に対して、４５重量部としたこと以外は、実施例１と同様にして、コーティング型触媒（コーティング率４５％）を得た。【００６０】
［実施例４］
使用した触媒粉の量を、アルミナセラミック球１００重量部に対して、１１０重量部としたこと以外は、実施例１と同様にして、コーティング型触媒（コーティング率１１０％）を得た。【００６１】
［比較例１］
（粉体状触媒）
上記製造例Ａで得られた触媒粉をそのまま使用した。【００６２】
［比較例２］
（打錠成型触媒）
実施例Ａで製造した触媒粉を、市販の錠剤成型器及び油圧プレスを使用して、圧力５０Ｍｐａで圧縮成型し、直径２０ｍｍ、厚さ約３ｍｍのタブレット（打錠）とした。得られたタブレットを乳鉢で軽く破砕した不定形のペレットを、下篩（目開き１．６８ｍｍ）及び上篩（目開き２．８３ｍｍ）により整粒し、打錠成型触媒を得た。【００６３】
［比較例３］
（含浸担持型触媒）
Ｆｅ（ＮＯ3）3・９Ｈ2Ｏ（関東化学社製、製品Ｎｏ．１６０２６−００）２．５５ｇを純水５ｍｌに溶解させた。そこに、Ｐｄ（ＮＯ3）2・ｘＨ2Ｏ（Ａｌｆａ  Ａｅｓａｒ社製、Ｐｄ４０％）０．５ｇ、及び無水クエン酸（和光純薬社製、商品コード０３０−０５５２５）１．０９ｇを純水２．５ｍｌに溶解した溶液を加え、均一な混合溶液とした。上記の混合溶液を球状シリカゲル（富士シリシア化学社製、ＣＡＲｉＡＣＴ  Ｑ−１０、径１．２−４．０ｍｍ）６．１５ｇに吸収させ、触媒粒を得た。得られた触媒粒を１１０℃で５時間乾燥させた後、４００℃で５時間焼成し、含浸担持型触媒を得た。【００６４】
（触媒の反応性の評価）
実施例１〜４、比較例１〜３で得られた触媒を用い、酢酸を原料とし、気相中で水素化することによりアセトアルデヒドを製造した。なお、触媒の反応性の評価は、酢酸を気化し、水素ガスとともに気体として反応管に供給可能であり、触媒を取り付けることができ、加熱可能な反応管を有する反応系を用いて行った。また、反応管を通過した気体は、反応管の出口に設けたコンデンサーからの凝縮液及び非凝縮成分からなるオフガスに分け、各々をガスクロマトグラフィーにて分析した。【００６５】
内径１０ｍｍのＳＵＳ３１６製反応管に、実施例１〜４、比較例１〜３で得られた触媒を１．０ｍＬ（比較例１においては、０．７ｍＬ）充填し、まず、反応管に水素ガスを５Ｌ／ｈｒ（０℃／１ａｔｍ換算、以下同じ）で流通させながら、電気炉により触媒層の温度を３００℃に昇温し、１２時間保持して触媒を活性化した。次に、水素ガス流量１１．４Ｌ／ｈｒ、酢酸を６．１１g／ｈｒ（比較例１においては、水素ガス流量８．０Ｌ／ｈｒ、酢酸を４．２８g／ｈｒ）とし、反応管に仕込んだ（酢酸は触媒層の手前で気化され、水素ガスとの混合ガスとして反応管を通過させた）。そして、反応管の出口の背圧弁により反応管内圧力を０．４ＭＰａに昇圧した。前記の条件で約１００時間反応を継続した後、オフガスを分析し、反応評価を求めた。得られた評価結果を表１に示す。【００６６】
【表１】
2015163020.tif 000002
【００６７】
表１に示す通り、実施例では、カルボン酸類から気相中で水素化しアルデヒド類を製造する際のアルデヒド類への選択率が、比較例２及び３と比較して高くなっており、比較例１に近い選択率となった。なお、比較例１は、実験室装置での触媒容量数ｍｌスケールでは実施可能であるが、発明が解決しようとする課題で述べた通り、触媒が微粉末状であるため、触媒容量が数ｍ3スケールとなる工業装置では、供給ガスの圧力が異常に上昇し、スムーズなガス流通が実現できず、工業的に利用することができないものである。
【産業上の利用可能性】
【００６８】
本発明の固体触媒は、工業的に利用可能であり、カルボン酸類を気相中で水素化して、各種有機化学合成用の中間体等として工業的に極めて重要な化合物であるアルデヒド類を製造する際に好適に用いることができる。また、本発明の製造方法は、工業的に利用可能であり、カルボン酸類を気相中で水素化して、選択率が高くアルデヒド類を製造することができる。
【国際調査報告】
2015163020.tif 000003
2015163020.tif 000004
2015163020.tif 000005
2015163020.tif 000006